(57)【要約】【課題】端末局に対して複数の接続先がある場合に、伝送効率が低下することを抑制する。【解決手段】複数の通信規格又は通信方式に対応する複数の無線通信部を備えた基地局と、複数の端末局とを接続する無線通信方法であって、端末局の通信品質を示す通信品質情報を端末局それぞれから収集する通信品質収集工程と、端末局の通信性能を示す通信性能情報を端末局それぞれから収集する通信性能収集工程と、端末局を識別する識別子情報を端末局それぞれから収集する識別子収集工程と、収集した通信品質情報、通信性能情報及び識別子情報に基づいて、無線通信部それぞれに対する設定を含む設定ポリシー、及び、無線通信部を切替える条件を設定する切替ポリシーを算出するポリシー算出工程と、算出した設定ポリシー及び切替ポリシーに基づいて、接続される端末局を無線通信部それぞれに対して設定する設定工程とを含む。【選択図】図３
2020178320.tif 000002
【特許請求の範囲】
【請求項１】
複数の通信規格又は通信方式に対応する複数の無線通信部を備えた基地局と、複数の端末局とを接続する無線通信方法であって、
前記端末局の通信品質を示す通信品質情報を前記端末局それぞれから収集する通信品質収集工程と、
前記端末局の通信性能を示す通信性能情報を前記端末局それぞれから収集する通信性能収集工程と、
前記端末局を識別する識別子情報を前記端末局それぞれから収集する識別子収集工程と、
収集した通信品質情報、通信性能情報及び識別子情報に基づいて、前記無線通信部それぞれに対する設定を含む設定ポリシー、及び、前記無線通信部を切替える条件を設定する切替ポリシーを算出するポリシー算出工程と、
算出した設定ポリシー及び切替ポリシーに基づいて、接続の許可及び切替を行う前記端末局を前記無線通信部それぞれに対して設定する設定工程と
を含むことを特徴とする無線通信方法。
【請求項２】
収集した通信品質情報、通信性能情報及び識別子情報を記憶する記憶工程と、
記憶した通信品質情報、通信性能情報及び識別子情報を他の基地局へ送信する送信工程と
をさらに含むことを特徴とする請求項１に記載の無線通信方法。
【請求項３】
前記ポリシー算出工程では、
１つ以上の前記無線通信部に対してステルスＳＳＩＤを無効にし、他の前記無線通信部に対してステルスＳＳＩＤを有効にする設定を行う設定ポリシー、及び、前記無線通信部それぞれの対応する通信方式に基づく複数の種別に応じて前記端末局の接続切替を行う切替ポリシーを算出すること
を特徴とする請求項２に記載の無線通信方法。
【請求項４】
複数の端末局を接続させる基地局であって、
複数の通信規格又は通信方式に対応する複数の無線通信部と、
前記端末局の通信品質を示す通信品質情報を前記端末局それぞれから収集する通信品質収集部と、
前記端末局の通信性能を示す通信性能情報を前記端末局それぞれから収集する通信性能収集部と、
前記端末局を識別する識別子情報を前記端末局それぞれから収集する識別子収集部と、
収集した通信品質情報、通信性能情報及び識別子情報に基づいて算出された前記無線通信部それぞれに対する設定を含む設定ポリシー、及び、前記無線通信部を切替える条件を設定する切替ポリシーに応じて、接続される前記端末局を前記無線通信部それぞれに対して設定する設定部と
を有することを特徴とする基地局。
【請求項５】
前記設定部は、
１つ以上の前記無線通信部に対してステルスＳＳＩＤを無効にし、他の前記無線通信部に対してステルスＳＳＩＤを有効にする設定を行う設定ポリシー、及び、前記無線通信部それぞれの対応する通信方式に基づく複数の種別に応じて前記端末局の接続切替を行う切替ポリシーに応じて、接続される前記端末局を前記無線通信部それぞれに対して設定すること
を特徴とする請求項４に記載の基地局。
【請求項６】
複数の通信規格又は通信方式に対応して複数の端末局と接続可能にされた複数の無線通信部を備えた複数の基地局と、前記基地局それぞれを制御する制御局とを備えた無線通信システムであって、
前記基地局それぞれは、
前記端末局の通信品質を示す通信品質情報を前記端末局それぞれから収集する通信品質収集部と、
前記端末局の通信性能を示す通信性能情報を前記端末局それぞれから収集する通信性能収集部と、
前記端末局を識別する識別子情報を前記端末局それぞれから収集する識別子収集部と、
設定ポリシー及び切替ポリシーに基づいて、接続される前記端末局を前記無線通信部それぞれに対して設定する設定部と
を有し、
前記制御局は、
前記基地局それぞれが収集した通信品質情報、通信性能情報及び識別子情報に基づいて、前記無線通信部それぞれに対する設定を含む設定ポリシー、及び、前記無線通信部を切替える条件を設定する切替ポリシーを算出するポリシー算出部と、
前記ポリシー算出部が算出した設定ポリシー及び切替ポリシーを前記基地局それぞれに対して送信する通信部と
を有することを特徴とする無線通信システム。
【請求項７】
前記制御局は、
前記基地局それぞれが収集した通信品質情報、通信性能情報及び識別子情報を記憶する記憶部をさらに有し、
前記通信部は、
前記記憶部が記憶した通信品質情報、通信性能情報及び識別子情報を他の基地局へ送信すること
を特徴とする請求項６に記載の無線通信システム。
【請求項８】
前記ポリシー算出部は、
１つ以上の前記無線通信部に対してステルスＳＳＩＤを無効にし、他の前記無線通信部に対してステルスＳＳＩＤを有効にする設定を行う設定ポリシー、及び、前記無線通信部それぞれの対応する通信方式に基づく複数の種別に応じて前記端末局の接続切替を行う切替ポリシーを算出すること
を特徴とする請求項７に記載の無線通信システム。
【発明の詳細な説明】
【技術分野】
【０００１】
本発明は、無線通信方法、基地局及び無線通信システムに関する。
【背景技術】
【０００２】
免許不要帯の電波を用いた高速無線アクセスシステムとして、ＩＥＥＥ８０２．１１無線ＬＡＮ規格があり、１１ａ、１１ｂ、１１ｇ、１１ｎ、１１ａｃなど様々な規格が規定されており、それぞれ用いる無線周波数帯、無線伝送技術、及び無線伝送速度が異なる。
【０００３】
１１ｂ規格は、２．４ＧＨｚ帯を用いる最大１１Ｍｂｐｓの無線伝送速度である。１１ａ規格は、５ＧＨｚ帯を用いる最大５４Ｍｂｐｓの無線伝送速度である。１１ｇ規格は、２．４ＧＨｚ帯を用いる最大５４Ｍｂｐｓの無線伝送速度である。１１ｎ規格は、２．４及び５ＧＨｚ帯を利用する最大６００Ｍｂｐｓの無線伝送速度である。１１ａｃ規格は、５ＧＨｚ帯を用いる最大６９００Ｍｂｐｓの無線伝送速度である。
【０００４】
これらの様々なＩＥＥＥ８０２．１１無線ＬＡＮ規格は、後方互換性が保たれており、混在した環境でも使用することが可能である。
【０００５】
また、ＩＥＥＥ８０２．１１無線ＬＡＮ規格では、基地局を介して通信を行うインフラストラクチャーモードが多くの場合に用いられる。端末局は、それぞれ自局が持つ接続プロファイル情報（ＳＳＩＤ：Service Set Identifier、無線暗号方式、パスフレーズなど）に基づいて接続先を選択し、基地局への接続を行う。
【０００６】
また、端末局は、自局が接続する基地局を探すため、パッシブスキャン及びアクティブスキャンの２つの動作を行っている。パッシブスキャンでは、端末局は、定期的に基地局から周辺にブロードキャスト送信されるビーコンフレームを受信する。アクティブスキャンでは、端末局は、プローブ要求フレームを基地局宛に送信し、基地局からのプローブ応答を受信する。これにより、端末局は、自局が持つ無線接続のプロファイル情報と一致する基地局を探し、無線接続を開始することが可能となっている。
【先行技術文献】
【非特許文献】
【０００７】
【非特許文献１】IEEE Std 802.11-2016，Dec．2016．
【発明の概要】
【発明が解決しようとする課題】
【０００８】
無線システムの利用環境では、規格や通信方式などが異なる端末局が混在し、それぞれの端末局が複数の規格や通信方式に対応した基地局と、それぞれ異なる無線通信規格で無線通信を行う場合がある。このような環境では、伝送効率の劣る旧規格が混在することにより、システム全体の無線伝送効率が低下することが課題となる。
【０００９】
無線伝送効率を改善するために、基地局が複数の無線通信部を備え、無線通信部ごとに収容する端末局の種別を棲み分けることにより、混在環境を避けることが考えられる。このとき、基地局は、端末局から接続先制御に必要な情報を収集する必要がある。しかし、従来は、基地局がそれぞれ個別に端末局から情報収集を行っていた。
【００１０】
例えば、端末局が移動することにより、ある基地局から別の基地局に接続先が切り替わった場合、切り替わり先となる基地局は、新たに端末局から必要な情報を収集し、収集した情報に基づいた判定・制御を行う必要がある。つまり、システム全体としては、端末局からの情報収集を繰り返し行う必要があり、制御のためのコストが増大することが課題であった。また、基地局が端末局との間の無線接続を制御しても、端末局側で自律的に無線接続先を切り替えてしまう場合があり、制御した無線接続状態を維持することが難しいことが課題であった。
【００１１】
本発明は、端末局に対して複数の接続先がある場合に、伝送効率が低下することを抑制することができる無線通信方法、基地局及び無線通信システムを提供することを目的とする。
【課題を解決するための手段】
【００１２】
本発明の一態様にかかる無線通信方法は、複数の通信規格又は通信方式に対応する複数の無線通信部を備えた基地局と、複数の端末局とを接続する無線通信方法であって、前記端末局の通信品質を示す通信品質情報を前記端末局それぞれから収集する通信品質収集工程と、前記端末局の通信性能を示す通信性能情報を前記端末局それぞれから収集する通信性能収集工程と、前記端末局を識別する識別子情報を前記端末局それぞれから収集する識別子収集工程と、収集した通信品質情報、通信性能情報及び識別子情報に基づいて、前記無線通信部それぞれに対する設定を含む設定ポリシー、及び、前記無線通信部を切替える条件を設定する切替ポリシーを算出するポリシー算出工程と、算出した設定ポリシー及び切替ポリシーに基づいて、接続の許可及び切替を行う前記端末局を前記無線通信部それぞれに対して設定する設定工程とを含むことを特徴とする。
【００１３】
また、本発明の一態様にかかる無線通信方法は、収集した通信品質情報、通信性能情報及び識別子情報を記憶する記憶工程と、記憶した通信品質情報、通信性能情報及び識別子情報を他の基地局へ送信する送信工程とをさらに含むことを特徴とする。
【００１４】
また、本発明の一態様にかかる無線通信方法は、前記ポリシー算出工程では、１つ以上の前記無線通信部に対してステルスＳＳＩＤを無効にし、他の前記無線通信部に対してステルスＳＳＩＤを有効にする設定を行う設定ポリシー、及び、前記無線通信部それぞれの対応する通信方式に基づく複数の種別に応じて前記端末局の接続切替を行う切替ポリシーを算出することを特徴とする。
【００１５】
また、本発明の一態様にかかる基地局は、複数の端末局を接続させる基地局であって、複数の通信規格又は通信方式に対応する複数の無線通信部と、前記端末局の通信品質を示す通信品質情報を前記端末局それぞれから収集する通信品質収集部と、前記端末局の通信性能を示す通信性能情報を前記端末局それぞれから収集する通信性能収集部と、前記端末局を識別する識別子情報を前記端末局それぞれから収集する識別子収集部と、収集した通信品質情報、通信性能情報及び識別子情報に基づいて算出された前記無線通信部それぞれに対する設定を含む設定ポリシー、及び、前記無線通信部を切替える条件を設定する切替ポリシーに応じて、接続される前記端末局を前記無線通信部それぞれに対して設定する設定部とを有することを特徴とする。
【００１６】
また、本発明の一態様にかかる基地局は、前記設定部が、１つ以上の前記無線通信部に対してステルスＳＳＩＤを無効にし、他の前記無線通信部に対してステルスＳＳＩＤを有効にする設定を行う設定ポリシー、及び、前記無線通信部それぞれの対応する通信方式に基づく複数の種別に応じて前記端末局の接続切替を行う切替ポリシーに応じて、接続される前記端末局を前記無線通信部それぞれに対して設定することを特徴とする。
【００１７】
また、本発明の一態様にかかる無線通信システムは、複数の通信規格又は通信方式に対応して複数の端末局と接続可能にされた複数の無線通信部を備えた複数の基地局と、前記基地局それぞれを制御する制御局とを備えた無線通信システムであって、前記基地局それぞれは、前記端末局の通信品質を示す通信品質情報を前記端末局それぞれから収集する通信品質収集部と、前記端末局の通信性能を示す通信性能情報を前記端末局それぞれから収集する通信性能収集部と、前記端末局を識別する識別子情報を前記端末局それぞれから収集する識別子収集部と、設定ポリシー及び切替ポリシーに基づいて、接続される前記端末局を前記無線通信部それぞれに対して設定する設定部とを有し、前記制御局は、前記基地局それぞれが収集した通信品質情報、通信性能情報及び識別子情報に基づいて、前記無線通信部それぞれに対する設定を含む設定ポリシー、及び、前記無線通信部を切替える条件を設定する切替ポリシーを算出するポリシー算出部と、前記ポリシー算出部が算出した設定ポリシー及び切替ポリシーを前記基地局それぞれに対して送信する通信部とを有することを特徴とする。
【００１８】
また、本発明の一態様にかかる無線通信システムは、前記制御局が、前記基地局それぞれが収集した通信品質情報、通信性能情報及び識別子情報を記憶する記憶部をさらに有し、前記通信部が、前記記憶部が記憶した通信品質情報、通信性能情報及び識別子情報を他の基地局へ送信することを特徴とする。
【００１９】
また、本発明の一態様にかかる無線通信システムは、前記ポリシー算出部が、１つ以上の前記無線通信部に対してステルスＳＳＩＤを無効にし、他の前記無線通信部に対してステルスＳＳＩＤを有効にする設定を行う設定ポリシー、及び、前記無線通信部それぞれの対応する通信方式に基づく複数の種別に応じて前記端末局の接続切替を行う切替ポリシーを算出することを特徴とする。
【発明の効果】
【００２０】
本発明によれば、端末局に対して複数の接続先がある場合に、伝送効率が低下することを抑制することができる。
【図面の簡単な説明】
【００２１】
【図１】一実施形態にかかる無線通信システムの構成例を示す図である。
【図２】端末局の構成例を示す図である。
【図３】一実施形態にかかる基地局の構成例を示す図である。
【図４】制御局の構成例を示す図である。
【図５】設定ポリシーの例を示す図である。
【図６】切替ポリシーの例を示す図である。
【図７】端末局の種別情報の例を示す図である。
【図８】無線通信システムが各基地局に対する初期設定を行う場合の動作を例示するフローチャートである。
【図９】基地局が端末局からプローブ要求フレーム又は接続要求フレームを受信した場合の動作を例示するフローチャートである。
【図１０】基地局に対して端末局が無線接続をした後の動作を例示するフローチャートである。
【発明を実施するための形態】
【００２２】
以下に、図面を用いて無線通信システムの一実施形態を説明する。図１は、一実施形態にかかる無線通信システム１の構成例を示す。図１に示すように、無線通信システム１は、例えば、複数の基地局２それぞれがネットワーク１０を介して制御局３に接続されている。また、基地局２それぞれは、例えばｎ台の端末局４−１〜４−ｎなど、複数の多様な端末局を無線通信可能な範囲であるサービスエリア２００内に収容している。
【００２３】
ここで、端末局４−１〜４−ｎは、通信規格や通信方式などが異なる端末局が混在していることを示している。通信規格には、例えばＩＥＥＥ８０２．１１ａ、１１ｂ、１１ｇ、１１ｎ、１１ａｃなどの複数の種別がある。また、通信方式には、例えば無線通信における各通信パラメータ（図５，７等を用いて後述する４０ＭＨｚ伝送、ＯＢＳＳ＿ＰＤ方式など）への対応可否が異なる複数の種別がある。
【００２４】
なお、収容される端末局４の台数ｎや、端末局４の個々の種類は、基地局２ごとに異なっていてもよい。また、端末局４−１〜４−ｎは、通信規格や通信方式などが異なる複数の端末局が混在しているが、いずれであるかを特定しない場合には、単に端末局４と記す。
【００２５】
図２は、端末局４の構成例を示す。図２に示すように、端末局４は、複数のアンテナ４０、無線通信部４１、通信品質通知部４２、通信性能通知部４３、及び識別子通知部４４を有する。なお、一般的に端末局が備えているその他の機能ブロックについては図示していない。
【００２６】
アンテナ４０は、無線通信部４１に接続され、無線通信部４１から入力される無線フレームを送信し、受信した無線フレームを無線通信部４１に対して出力する。
【００２７】
無線通信部４１は、例えば、通信品質通知部４２、通信性能通知部４３、及び識別子通知部４４それぞれから入力される情報を無線パケットにして、アンテナ４０を介して送信する。なお、端末局４には、複数の無線通信部４１が設けられていてもよい。
【００２８】
通信品質通知部４２は、自局の通信品質情報を出力し、無線通信部４１及びアンテナ４０を介して自局の通信品質情報を基地局２へ通知する。通信品質情報には、所望電波の受信電力、受信ＳＮＲ（Ｓｉｇｎａｌ−ｔｏ―Ｎｏｉｓｅ  Ｒａｔｉｏ）など、端末局の通信品質を示す情報が含まれる。
【００２９】
通信性能通知部４３は、自局の通信性能情報を出力し、無線通信部４１及びアンテナ４０を介して自局の通信性能情報を基地局２へ通知する。通信性能情報には、無線通信部４１の数、アンテナ４０の数、対応する無線通信規格など、端末局４が備える無線通信性能を示す情報が含まれる。
【００３０】
識別子通知部４４は、自局の識別子情報を出力し、無線通信部４１及びアンテナ４０を介して自局の識別子情報を基地局２へ通知する。識別子情報には、端末局４のＭＡＣ（Media Access Control）アドレスやシリアル番号など、端末局４を識別する情報が含まれる。
【００３１】
なお、端末局４−１〜４−ｎは、いずれも図２に示した端末局４と実質的に同じ構成を有するが、上述したように、通信規格や通信方式などが異なる複数の端末局が混在している。
【００３２】
図３は、一実施形態にかかる基地局２の構成例を示す。図３に示すように、基地局２は、例えば複数のアンテナ２０、ｍ個の無線通信部２１−１〜２１−ｍ、通信品質収集部２２、通信性能収集部２３、識別子収集部２４、情報処理部２５、情報通知部２６、通信部２７、及び設定部２８を有する。なお、無線通信部２１−１〜２１−ｍのように複数ある構成のいずれかを特定しない場合には、単に無線通信部２１などと略記する。また、一般的に基地局が備えているその他の機能ブロックについては図示していない。
【００３３】
アンテナ２０は、複数本ずつ無線通信部２１−１〜２１−ｍにそれぞれ接続され、無線通信部２１−１〜２１−ｍから入力される無線フレームを送信し、受信した無線フレームを無線通信部２１−１〜２１−ｍに対して出力する。
【００３４】
無線通信部２１−１〜２１−ｍは、例えば複数のアンテナ２０を介して、それぞれ独立して１つ以上の端末局（例えば端末局４−１〜４−ｎの少なくともいずれか）と無線通信を行うことができるようにされている。例えば、無線通信部２１−１〜２１−ｍそれぞれは、複数の通信規格や通信方式に対応し、後述する設定ポリシー、切替ポリシー、及び種別情報に基づく設定と、接続切替判定情報とに応じて、いずれかの通信規格や通信方式に従った無線通信を端末局４との間で行う。
【００３５】
通信品質収集部２２は、複数のアンテナ２０及び無線通信部２１−１〜２１−ｍを介して、端末局４それぞれから通信品質情報を収集し、情報処理部２５に対して出力する。
【００３６】
通信性能収集部２３は、複数のアンテナ２０及び無線通信部２１−１〜２１−ｍを介して、端末局４それぞれの通信性能情報を収集し、情報処理部２５に対して出力する。
【００３７】
識別子収集部２４は、複数のアンテナ２０及び無線通信部２１−１〜２１−ｍを介して、端末局４を識別する識別子情報を端末局４それぞれから収集し、情報処理部２５に対して出力する。
【００３８】
情報処理部２５は、図示しないＣＰＵ及びメモリを備え、通信品質収集部２２、通信性能収集部２３、及び識別子収集部２４からそれぞれ入力される通信品質情報、通信性能情報及び識別子情報を取りまとめて端末局４に対する接続切替判定情報とする。そして、情報処理部２５は、接続切替判定情報を情報通知部２６及び設定部２８に対して出力する。また、情報処理部２５は、通信部２７から入力される情報（後述する設定ポリシー、切替ポリシー及び種別情報）を処理し、設定部２８に対して出力する。
【００３９】
情報通知部２６は、情報処理部２５が取りまとめた接続切替判定情報（通信品質情報、通信性能情報、識別子情報）及び自局の基地局性能情報を、通信部２７を介して制御局３へ通知する。基地局性能情報は、当該基地局２が備える無線通信の性能を示す情報であり、無線通信部２１の数（ｍ）、アンテナ２０の数、対応する通信規格や通信方式などの情報を含む。
【００４０】
通信部２７は、情報通知部２６から入力された情報（接続切替判定情報及び自局の基地局性能情報）を例えば有線通信によりネットワーク１０（図１）を介して制御局３へ送信し、制御局３から入力される情報（後述する設定ポリシー、切替ポリシー及び種別情報）を情報処理部２５に対して出力する。
【００４１】
設定部２８は、情報処理部２５から入力される設定ポリシー、切替ポリシー、及び種別情報に基づく設定を無線通信部２１−１〜２１−ｍそれぞれに対して行う。また、設定部２８は、情報処理部２５から入力される接続切替判定情報を無線通信部２１−１〜２１−ｍそれぞれに対して出力し、設定済みの切替ポリシーを更新させる。すなわち、設定部２８は、設定ポリシー及び切替ポリシーに応じて、接続される端末局４を無線通信部２１−１〜２１−ｍに対して設定する機能を備え、端末局４の接続の許可及び切替を行う。
【００４２】
図４は、制御局３の構成例を示す。図４に示すように、制御局３は、通信部３１、ポリシー算出部３２、記憶部３３及び制御部３４を有する。なお、一般的に制御局が備えているその他の機能ブロックについては図示していない。
【００４３】
通信部３１は、例えば有線通信によりネットワーク１０を介して基地局２それぞれから基地局性能情報を受信し、ポリシー算出部３２に対して出力する。また、通信部３１は、基地局２それぞれから接続切替判定情報を受信して、記憶部３３に対して出力し、記憶させる。また、通信部３１は、ネットワーク１０を介して、ポリシー算出部３２が算出した各情報、及び記憶部３３が記憶している接続切替判定情報を基地局２それぞれに対して送信する。
【００４４】
ポリシー算出部３２は、通信部３１から入力された基地局性能情報に基づいて、基地局２それぞれの無線通信部２１−１〜２１−ｍに対する設定ポリシー、切替ポリシー、及び端末局４−１〜４−ｎの種別を特定する種別情報を算出し、算出した各情報を通信部３１に対して出力する。
【００４５】
例えば、ポリシー算出部３２は、無線通信部２１−１〜２１−ｍの中のいずれか１つ以上に対してステルスＳＳＩＤを無効にし、無線通信部２１−１〜２１−ｍの中のその他に対してステルスＳＳＩＤを有効にする設定を行う設定ポリシーを算出する。また、ポリシー算出部３２は、無線通信部２１−１〜２１−ｍそれぞれの対応する通信方式に基づく複数の種別に応じて端末局４−１〜４−ｎの接続切替を行う切替ポリシーを算出する。
【００４６】
記憶部３３は、通信部３１から入力される接続切替判定情報を記憶する記憶装置などである。
【００４７】
制御部３４は、制御局３を構成する各部を制御する。例えば、制御部３４は、記憶部３３に対する情報の書き込み、及び記憶部３３が記憶している情報の読み出しなども制御する。
【００４８】
次に、設定ポリシー、切替ポリシー及び種別情報の具体例について説明する。
【００４９】
図５は、設定ポリシーの例を示す。図５に示すように、設定ポリシーには、例えばポリシー番号、適用先無線通信部、無線設定及び接続許可設定が含まれる。適用先無線通信部には、ポリシー番号によって特定される設定ポリシーを適用する無線通信部２１が設定される。
【００５０】
無線設定には、ポリシー番号によって特定される設定ポリシーにより無線通信部２１に対して設定を許可する無線設定値の範囲、又は設定値の候補が含まれている。例えば、無線設定には、ＳＳＩＤ（Service Set Identifier）のステルス状態、チャネル（ＣＨ）、帯域幅（ＢＷ）、ＯＢＳＳ＿ＰＤ（Observed BSS Power Detection）などが設定される。接続許可設定には、端末局４の接続要求に対して接続を許可する端末局のリストが設定される。
【００５１】
図６は、切替ポリシーの例を示す。図６に示すように、切替ポリシーには、例えばポリシー番号、切替元の設定ポリシー番号、切替先の設定ポリシー番号、及び切替条件が含まれる。
【００５２】
例えば、切替元の設定ポリシー番号により特定される設定ポリシーが設定されている無線通信部２１に対し、切替条件に該当する種別の端末局４が接続された場合、切替先の設定ポリシー番号により特定される設定ポリシーが設定されている無線通信部２１への端末局４の接続先切替を行う。
【００５３】
図７は、端末局４の種別情報の例を示す。図７に示すように、端末局４の種別情報には、種別番号及び端末局４が対応する通信方式が含まれる。例えば、端末局４に対する通信方式として、４０ＭＨｚ伝送への対応可否や、ＯＢＳＳ＿ＰＤ伝送への対応可否などが設定される。
【００５４】
なお、図７に示した例では、４０ＭＨｚ伝送への対応、及びＯＢＳＳ＿ＰＤ伝送への対応を条件として端末局の種別を分けているが、これに限定されることなく、他の端末局４が対応する通信方式の情報とも組み合わせて、端末局４の種別を規定されてもよい。
【００５５】
次に、無線通信システム１の動作例について説明する。
【００５６】
図８は、無線通信システム１が各基地局２に対する初期設定を行う場合の動作を例示するフローチャートである。まず、制御局３は、基地局２それぞれから基地局性能情報を収集する（Ｓ１００）。
【００５７】
次に、制御局３は、基地局２から収集した基地局性能情報に基づいて、設定ポリシー、切替ポリシー、及び種別情報を算出し、各基地局２へ通知する（Ｓ１０２）。
【００５８】
例えば、制御局３は、無線通信部２１の数が３（ｍ＝３）である基地局２に対し、当該基地局２の基地局性能情報（無線通信部２１の数）に基づいて、設定ポリシー、切替ポリシー、及び種別情報を算出する。
【００５９】
このとき、ポリシー算出部３２は、基地局２の無線通信部２１−１〜２１−３に対してそれぞれ異なる設定ポリシーを算出する。
【００６０】
例えば、無線通信部２１−１には、初めて基地局２に接続する端末局４、並びに、４０ＭＨｚ伝送及びＯＢＳＳ＿ＰＤ伝送のいずれにも非対応の端末局４を収容させる。
【００６１】
無線通信部２１−２については、無線通信部２１−１に対する接続状態からの接続切替先であるとし、４０ＭＨｚ伝送に対応した端末局４を収容させる。
【００６２】
無線通信部２１−３についても、無線通信部２１−１に対する接続状態からの接続切替先であるとし、８０２．１１ａｘにおけるＯＢＳＳ＿ＰＤに対応した端末局４を収容させる。
【００６３】
この場合、ポリシー算出部３２は、ポリシー番号が０１，０２，０３である設定ポリシー（図５）を算出する。さらに、ポリシー算出部３２は、ポリシー番号がＩ，ＩＩである切替ポリシー（図６）、及び種別番号がｉ〜ｉｉｉである種別情報（図７）を算出する。
【００６４】
具体例として、基地局２は、初めて当該基地局２に接続する全ての端末局４を、特定の無線通信部２１のＳＳＩＤのみを公開させることによって特定の無線通信部２１のみに接続させ、設定ポリシー及び切替ポリシーに基づいて、端末局４それぞれの接続先を制御してもよい。このとき、特定の無線通信部２１以外の無線通信部２１は、ステルスＳＳＩＤを設定され、端末局４は、設定ポリシー及び切替ポリシーに基づいて、ステルスＳＳＩＤを設定されている他の無線通信部２１に接続されてもよい。
【００６５】
次に、各基地局２は、制御局３から通知された設定ポリシー、切替ポリシー、及び種別情報を自局の各無線通信部２１に設定する（Ｓ１０４）。
【００６６】
なお、各無線通信部２１は、自身に設定された設定ポリシー、切替ポリシー、及び種別情報に基づいて、端末局４からのプローブ要求や接続要求を受信したときの動作を制御する（詳細には図９を用いて後述）。
【００６７】
そして、各基地局２の各無線通信部２１は、設定された設定ポリシーに従って、無線通信設定を実施する（Ｓ１０６）。
【００６８】
図９は、基地局２が端末局４からプローブ要求フレーム又は接続要求フレームを受信した場合の動作を例示するフローチャートである。
【００６９】
まず、基地局２の無線通信部２１が端末局４からのプローブ要求フレーム、又は接続要求フレームを受信する（Ｓ２００）。
【００７０】
基地局２は、当該無線通信部２１に設定された設定ポリシーにおける接続許可設定に基づいて、端末局４が接続許可されているか否かを判定する（Ｓ２０２）。
【００７１】
端末局４が接続許可されている場合（Ｓ２０２：Ｙｅｓ）、基地局２は、端末局４からのプローブ要求フレーム、又は接続要求フレームに対して応答を行う（Ｓ２０４）。
【００７２】
また、端末局４が接続許可されていない場合（Ｓ２０２：Ｎｏ）、基地局２は、端末局４からのプローブ要求フレーム、又は接続要求フレームに対して応答しない（Ｓ２０６）。
【００７３】
図１０は、基地局２に対して端末局４が無線接続をした後の動作を例示するフローチャートである。まず、端末局４が基地局２へ無線接続する（Ｓ３００）。
【００７４】
基地局２は、接続した端末局４に対する接続切替判定情報を取得済みであるか否かを判定する（Ｓ３０２）。基地局２は、端末局４の接続切替判定情報を取得済みである場合（Ｓ３０２：Ｙｅｓ）にはＳ３１０の処理へ進み、未取得である場合（Ｓ３０２：Ｎｏ）にはＳ３０４の処理へ進む。
【００７５】
基地局２は、端末局４から通信品質情報、通信性能情報、及び識別子情報を取得する（Ｓ３０４）。なお、Ｓ３０４の処理における情報取得は、例えば、基地局２が端末局４に対して制御信号を送信し、制御信号を受信した端末局４が各情報を基地局２へ通知することによって行われる。また、端末局４が定期的に各情報を基地局２へ通知することにより、基地局２が各情報を収集してもよい。
【００７６】
また、基地局２は、取得した情報を端末局４に対する接続切替判定情報としてネットワーク１０を介して制御局３へ通知する（Ｓ３０６）。
【００７７】
制御局３は、基地局２から通知された端末局４に対する接続切替判定情報を、他の基地局２へ通知する（Ｓ３０８）。
【００７８】
次に、基地局２は、端末局４に対する接続切替判定情報と、無線通信部２１に設定された切替ポリシーとを比較する（Ｓ３１０）。そして、基地局２は、端末局４の接続先切替を行うか否かを判定する（Ｓ３１２）。基地局２は、接続先切替を行わない場合（Ｓ３１２：Ｎｏ）には処理を終了し、接続先切替を行う場合（Ｓ３１２：Ｙｅｓ）にはＳ３１４の処理へ進む。
【００７９】
基地局２は、切替先の無線通信部２１に対して設定されている設定ポリシーにおける接続許可設定について、端末局４からの接続を許可する設定に更新する。つまり、基地局２は、切替先の無線通信部２１に対して新たな接続許可設定を実施する（Ｓ３１４）。
【００８０】
次に、基地局２は、端末局４との間との無線接続を切断し（Ｓ３１６）、端末局４の無線接続先の切替を促す。
【００８１】
さらに、基地局２は、切替元の無線通信部２１に対して設定されている設定ポリシーにおける接続許可設定について、端末局４との無線接続を拒否する設定に更新する。つまり、基地局２は、切替元の無線通信部２１に対して接続拒否設定を実施する（Ｓ３１８）。
【００８２】
基地局２は、一定時間経過後に端末局４が切替先の無線通信部２１に無線接続したか否かを判定する（Ｓ３２０）。基地局２は、無線接続したと判定した場合（Ｓ３２０：Ｙｅｓ）には処理を終了し、無線接続していないと判定した場合（Ｓ３２０：Ｎｏ）にはＳ３２２の処理に進む。
【００８３】
そして、基地局２は、切替元の無線通信部２１に対して設定されている設定ポリシーにおける接続許可設定について、端末局４との無線接続を再度許可する設定に更新する。つまり、基地局２は、切替元の無線通信部２１に対して端末局４の接続許可設定を実施する（Ｓ３２２）。
【００８４】
このように、無線通信システム１は、基地局２が設定ポリシー及び切替ポリシーに基づいて、端末局４の接続先を制御するので、端末局４に対して複数の接続先がある場合に、伝送効率が低下することを抑制することができる。さらに、無線通信システム１は、基地局２が設定ポリシー及び切替ポリシーに基づいて、端末局４の接続先を制御するので、端末局４の無線接続の自律的な切り替わりを抑制することができる。
【００８５】
また、無線通信システム１は、基地局２それぞれが収集した通信品質情報、通信性能情報及び識別子情報を制御局３が他の基地局２へ送信するので、端末局４の無線接続の切替時における情報収集及び制御のコストを削減することができる。
【００８６】
なお、上述した実施形態における基地局２、制御局３及び端末局４は、専用装置による実現に限らず、汎用コンピュータによって実現されてもよい。この場合、基地局２、制御局３及び端末局４は、それぞれが備える各機能を実現するためのプログラムをコンピュータ読み取り可能な記録媒体に記録し、記録媒体に記録されたプログラムをコンピュータシステムに読み込ませ、実行することによって実現されてもよい。
【００８７】
なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００８８】
さらに「コンピュータ読み取り可能な記録媒体」とは、インターネット等のネットワークや電話回線等の通信回線を介してプログラムを送信する場合の通信線のように、短時間の間、動的にプログラムを保持するものや、その場合のサーバやクライアントとなるコンピュータシステム内部の揮発性メモリのように、一定時間プログラムを保持しているものを含んでもよい。
【００８９】
また、上記プログラムは、上述した機能の一部を実現するためのものであってもよく、さらに上述した機能をコンピュータシステムにすでに記録されているプログラムとの組み合わせで実現されるものであってもよい。また、上記プログラムは、ＰＬＤ（Programmable Logic Device）やＦＰＧＡ（Field Programmable Gate Array）等のハードウェアを用いて実現されるものであってもよい。
【００９０】
以上、図面を参照して本発明の実施形態を説明してきたが、上述の実施形態は、本発明の例示に過ぎず、本発明が上述の実施形態に限定されるものではないことは明らかである。したがって、本発明の技術思想及び範囲を逸脱しない範囲で、構成要素の追加、省略、置換、その他の変更が行われてもよい。
【符号の説明】
【００９１】
１・・・無線通信システム、２・・・基地局、３・・・制御局、４−１〜４−ｎ・・・端末局、１０・・・ネットワーク、２０・・・アンテナ、２１−１〜２１−ｍ・・・無線通信部、２２・・・通信品質収集部、２３・・・通信性能収集部、２４・・・識別子収集部、２５・・・情報処理部、２６・・・情報通知部、２７・・・通信部、２８・・・設定部、３１・・・通信部、３２・・・ポリシー算出部、３３・・・記憶部、４０・・・アンテナ、４１・・・無線通信部、４２・・・通信品質通知部、４３・・・通信性能通知部、４４・・・識別子通知部 
【図１】
2020178320.tif 000003
【図２】
2020178320.tif 000004
【図３】
2020178320.tif 000005
【図４】
2020178320.tif 000006
【図５】
2020178320.tif 000007
【図６】
2020178320.tif 000008
【図７】
2020178320.tif 000009
【図８】
2020178320.tif 000010
【図９】
2020178320.tif 000011
【図１０】
2020178320.tif 000012